(57)【特許請求の範囲】
【請求項１】
プレセニリン−１の第２１３番のイソロイシンがスレオニンに置換した変異プレセニリン−１蛋白をコードするＤＮＡ塩基配列を含む変異プレセニリン−１遺伝子をホモで有する遺伝子ノックインマウス。
【請求項２】
プレセニリン−１蛋白のアミノ酸配列中の第２１３番のアミノ酸の近辺をコードするＤＮＡ配列が、次の配列
5'-TGTGGTCGGGATGATMGCC XYZ CACTGGAAAGGCCC-3'
（ただし、ＸＹＺはスレオニンをコードする３塩基のコドンを意味し、ＭはＴ又はＣを意味し、下線を付した塩基が第２１３番のアミノ酸をコードする塩基である。）に変異した変異プレセニリン−１遺伝子を有する請求項１に記載の遺伝子ノックインマウス。
【請求項３】
アミロイドβ蛋白の過剰発現が変異プレセニリン−１遺伝子に起因するものである、請求項1又は２に記載の遺伝子ノックインマウス。
【請求項４】
変異プレセニリン蛋白を発現することができ、かつ該蛋白の発現が、哺乳類動物の脳の大脳皮質周辺部において進行性の神経疾患を形成させるのに十分な量のアミロイドβ蛋白を生産させるものである、請求項1乃至３のいずれか１項に記載の遺伝子ノックインマウス。
【請求項５】
変異プレセニリン−１遺伝子により引き起こされた脳組織でのアミロイド蛋白の発現量が、正常動物と比較して記憶学習試験において障害された行動を引き起こし、かつ当該動物の脳の海馬の大脳皮質周辺部において異常な神経病理を誘発するのに十分であることを特徴とする、請求項1乃至４のいずれか１項に記載の遺伝子ノックインマウス。
【請求項６】
請求項１乃至５のいずれか１項に記載の遺伝子ノックインマウスの細胞を単離し、組織培養により培養することにより得られる初代培養細胞又は継代培養細胞。
【請求項７】
被検物質を投与した請求項１乃至５のいずれか１項に記載の遺伝子ノックインマウスと無投与又は対照物質を投与した該動物との比較を行う工程を含む、アルツハイマー病の治療及び／又は予防に有用な物質の評価方法。
【請求項８】
記憶学習試験により比較を行う請求項７に記載の評価方法。
【請求項９】
病理試験により比較を行う請求項７に記載の評価方法。
【請求項１０】
大脳皮質周辺部での神経病理に基づく病理試験により比較を行う請求項７に記載の評価方法。
【請求項１１】
神経病理に基づく病理試験による比較が、当該脳の大脳皮質周辺部での肥大したグリオ−シスの減少の抑制、当該脳の大脳皮質周辺部での２−デオキシグルコース取り込みの減少の抑制、及び当該脳の大脳皮質での２−デオキシグルコース利用の減少の抑制からなる群から選択される１又は２以上の項目の比較である、請求項９又は１０に記載の評価方法。
【請求項１２】
当該動物の生存期間、探索行動、及び移動行動からなる群から選ばれる１又は２以上の項目について比較を行う請求項７に記載の評価方法。
【請求項１３】
請求項６に記載の初代培養細胞又は継代培養細胞を被検化合物の存在下でイン・ビトロ細胞培養する工程を含む、アルツハイマー病の治療及び／又は予防剤の評価方法。
【請求項１４】
請求項１乃至５のいずれか１項に記載の遺伝子ノックインマウスと、アミロイド前駆体タンパクの変異蛋白をコードする遺伝子を有しアミロイドβタンパクの生産量の多いマウスとを掛け合わせることにより作製したハイブリッド動物およびその子孫であって変異プレセニリン遺伝子とアミロイド前駆体タンパクの変異蛋白をコードする遺伝子を有する遺伝子ノックインマウス。
【発明の詳細な説明】
【技術分野】
【０００１】
本発明は、遺伝子導入動物に関するものである。より詳しくは、ヒト・アルツハイマー病を惹起するプレセニリン遺伝子の変異を導入したプレセニリン遺伝子導入動物に関する。
【背景技術】
【０００２】
アルツハイマー病は進行性の痴呆症状を呈する疾患であり、脳内での著しく多数の老人斑の出現と神経原線維変化の神経細胞内蓄積を病理組織学的特徴とし、緩徐に神経細胞が障害され脱落する神経変性疾患である。アルツハイマー病は老齢者に発症することが多く、加齢とともに罹患者の比率が増大することが知られている。現在のところアルツハイマー病の根治は不可能であり、将来的な老齢者人口の急増に備えてアルツハイマー病に対する治療や予防のための方法、並びにアルツハイマー病に対して有効な予防・治療剤の早急な開発が切望されている。
【０００３】
老人斑は種々の成分を含む神経細胞外の沈着物であり、アミロイドβタンパク（Ａβ）と呼ばれる３９〜４２個のアミノ酸残基からなるペプチドを主成分としている。アミロイドβはアミロイド前駆体タンパク（amyloid precursor protein ：ＡＰＰ）よりβセクレターゼとγセクレターゼと仮称されているプロテアーゼで切断されて生じる。老人斑では、アミロイドβがβシート構造をとった堅固な構造物として沈着している。老人斑はび漫性老人斑と呼ばれる“しみ”状の沈着から始まるが、この段階では神経変性は生じておらず、更にび漫性老人斑が堅固な沈着物となるとともに、神経変性や神経細胞の脱落が生じることによって痴呆などのアルツハイマー病の症状が現れるものと考えられている。アミロイドβとしては主に４０アミノ酸残基よりなるＡβ４０と４２アミノ酸残基よりなるＡβ４２が存在する。細胞が生成するアミロイドβの大部分はＡβ４０であり、Ａβ４２は僅かに存在しているにすぎないが、Ａβ４２の方が凝集性が高く、Ａβ４０と比較して老人斑形成に果たす役割は大きいと考えられている（玉岡：内科77巻、843 頁、1996年）。
【０００４】
アルツハイマー病には常染色体優性の遺伝を示す家族性の発症が認められる。この家族性アルツハイマー病の原因遺伝子として最初に見つけられたものは、１９９１年第７１７番目のアミノ酸残基がバリンからイソロイシンに変異しているＡＰＰの突然変異体であり、この遺伝子は２１番染色体上に存在する（Goate A.等：Nature 349巻、704 頁、1991年）。
この他、アルツハイマー病の原因となるＡＰＰの突然変異体として、同じく第７１７番目のアミノ酸残基がフェニルアラニンに変換したもの（Murrell J.等：Science 254巻、97頁、1991年）、同じ位置のアミノ酸残基がグリシンへ変異したもの（Chartier, Harlin等： Nature 353 巻、844 頁、1991年）、第６７０番目と第６７１番目の２アミノ酸残基がリジン・メチオニンからアスパラギン・ロイシンに変異したもの（Mullan M. 等： Nature Genet ．１巻、345 頁、1992年）、第６９２番目のアミノ酸残基がアラニンからグリシンに変異したもの（Hendrisk  L.等：Nature Genet．１巻、218 頁、1992年）等が見い出されている。
【０００５】
家族性アルツハイマー病の原因因子あるいは危険因子としてアポリポタンパクＥ（apo Ｅ）が1993年に報告された。すなわち、１９番染色体上に遺伝子が存在するapo Ｅのアイソマーのうち第１１２番目のアミノ酸残基がアルギニンであり、第１５８番目のアミノ酸残基がアルギニンであるａｐｏＥ４を保有する者の比率がアルツハイマー病患者では健常人と比較して有意に高いことが見つけられた（Corder E. H.. 等：Science 261 巻、921 頁、1993年）。
【０００６】
その後、1995年にアルツハイマー病の新たな原因遺伝子として、１４番染色体上に存在する「プレセニリン-1」（PS-1；当初はS182と呼ばれていた）の遺伝子（Sherrington R.等：Nature 375巻、 754 頁、1995年）の突然変異体および１番染色体上に存在する「プレセニリン−２」（PS-2；当初はE5-1あるいはSTM-2 と呼ばれていた）の遺伝子（Rogaev E. I.等： Nature 376 巻、775 頁、1995年）の突然変異体が見いだされた（本明細書において、それぞれの遺伝子を「プレセニリン−１遺伝子」及び「プレセニリン−２遺伝子」と呼ぶ。また、それらの遺伝子産物をそれぞれ「プレセニリン−１蛋白」及び「プレセニリン−２蛋白」、又は「PS-1」及び「PS-2」と呼ぶ。）。
【０００７】
プレセニリン−１蛋白及びプレセニリン−２蛋白はそれぞれ467 アミノ酸残基および448 アミノ酸残基よりなる７回（又は８回）膜貫通型の１次構造を有しており、膜タンパクとして存在していると推測されている。両者のアミノ酸レベルでのホモロジーは高く、全体で６７％、膜貫通部のみでは８４％である。プレセニリン−１蛋白の機能に関しては、線虫のsel-12タンパクやSPE-4 タンパクとの高い相同性から、これらのタンパクと機能が類似している可能性が指摘されている。SPE-4 タンパクは線虫の精子形成過程に関与するタンパクであり、タンパクの輸送・貯蔵に関与しているとされている。
【０００８】
従って、プレセニリン−１蛋白はＡＰＰのような膜タンパクのプロセシング、軸策輸送、膜小胞の膜との融合過程などに関与する可能性が考えられている。また、sel-12は線虫の発生過程を制御しているlin-12の突然変異による発生異常を救済する遺伝子として発見された。lin-12は細胞間情報伝達に関与していると考えられており、プレセニリン−１蛋白も細胞間情報伝達のどこかに関与している可能性も示唆されている。
【０００９】
プレセニリン−１蛋白について、最初の報告では、家族性アルツハイマー病の原因となる突然変異は５ヶ所のアミノ酸残基の置換であることが記載されている。この報告以降、本発明者等の報告したＯＳ−２（第２１３番目のアミノ酸残基イソロイシンがスレオニンに変異）およびOS-3（第９６番目のアミノ酸残基バリンがフェニルアラニンに変異）（Kamino K．等：Neurosci．Lett. 208 巻、 195頁、1996年）を初めとして、多くの家族性アルツハイマー病の家系から様々な個所での突然変異体が見つけられているおり、現在では３０ヶ所以上で４０種類以上のアミノ酸残基の置換が知られている（Hardy ：TINS 20 巻、154 頁、1997年）。
【００１０】
現在ではプレセニリン−１蛋白の突然変異は家族性アルツハイマー病の７０〜８０％を占めると考えられている。PS-2については２ヶ所の突然変異が報告されている。以上述べたように、PS-1およびPS-2の突然変異体が家族性アルツハイマー病と深く関連していることが遺伝学的解析から証明されている。
【００１１】
一方、最近、プレセニリン−１蛋白及びプレセニリン−２蛋白の突然変異体がどのような機作でアルツハイマー病の発症の原因となっているかに関する研究も進められている。これらの突然変異体を持つアルツハイマー病患者の血清中や皮膚の線維芽細胞の培養液（Scheuner D．等：Nature Med.2巻、 864頁、1996年）、プレセニリン−１蛋白及びプレセニリン−２蛋白の突然変異体で形質転換した培養細胞株の培養液中（Xia W ．等：J. Biol.Chem.272巻、7977頁、1997年。Borchelt DR等：Neuron 17巻、1005頁、1996年。CitronM.等：Nature Med. 3巻、67頁、1997年）、及びプレセニリン−１蛋白の突然変異体を持つ家族性アルツハイマー病患者の脳組織（Lemere C.A. 等：Nature Med.2巻、1146頁、1996年）において、Ａβ４０は正常型のプレセニリン−１蛋白及びプレセニリン−２蛋白に比べて殆ど変化が見られないが、Ａβ４２は正常型のプレセニリン−１蛋白及びプレセニリン−２蛋白と比較して大きく増加していることが報告されている。
【００１２】
すなわち、家族性アルツハイマー病をもたらすプレセニリン−１蛋白及びプレセニリン−２蛋白の突然変異は、老人斑の形成に大きな役割を果たすと考えられているＡβ４２を増加させることにより、アルツハイマー病を発症させる可能性が示されている。プレセニリン−１蛋白の突然変異体をコードする遺伝子を導入したトランスジェニックマウスも作製されている（Duff K. 等：Nature 383巻、710 頁、1996年。Borchelt DR. 等：Neuron 17巻、1005頁、1996年。Citron M. 等：Nature Med. 3 巻、67頁、1997年）。これらのトランスジェニックマウスにおいてマウス脳内のＡβ４２が特異的に増加していることが報告されている。この結果は、家族性アルツハイマー病をもたらすプレセニリン−１蛋白及びプレセニリン−２蛋白の突然変異体は、老人斑の形成に大きな役割を果たすと考えられているＡβ４２を増加させることにより、アルツハイマー病を発症させる可能性を強く支持するものである。しかしながら、これらのトランスジェニックマウスの報告ではトランスジェニックマウスの脳の組織学的検討に関する記載はされていない。これはトランスジェニックマウスで顕著な脳の組織学的変化が観察されていないことを推察させる。
【００１３】
一般的に、トランスジェニック動物は、対象とする遺伝子の生体内での機能を解析する手段としては有用である。しかしながら、導入した遺伝子の発現を量的・発現組織的・発生上の発現時期的に制御することは技法的に困難である。また、動物自体が持っている遺伝子が正常に発現しているために、トランスジェニック動物の体内では両方の遺伝子産物が混在した状態にあり、導入した遺伝子の機能解析が十分できないという問題もある。さらに、導入した遺伝子が特に過剰に発現される場合、本来生体内で果たしていない機能がトランスジェニック動物で現れてしまう場合があり、その結果、作製した遺伝子変異動物の解析に混乱をもたらすおそれがある等の難点もある。
【００１４】
トランスジェニック動物とは別に、対象とする遺伝子の機能を解析する手段としてノックアウト動物を利用することができる。ノックアウト動物は、動物自体が持っている対象の遺伝子を人工的に破壊して機能できない状態にしたものである。ノックアウト動物を詳細に解析することにより、対象としている遺伝子の生体内での機能を明らかにすることができる。しかしながら、破壊した遺伝子の産物の機能をノックアウト動物体内の別の遺伝子産物が代替するため、ホモ化してもノックアウト動物自体に特段の変化が現れてこないことがある。また、破壊した遺伝子の産物が動物の発生上・成育上必須であるためにホモでは致死となってしまい、成長可能なヘテロでは遺伝子の機能の詳細な解析が事実上不可能な場合があるという問題点も有している。
【発明の開示】
【００１５】
本発明の課題は、アルツハイマー病の病態モデル動物の作製にあたり、前記のような欠点を有するトランスジェニック動物ではなく、ヒトにおけるアルツハイマー病患者の病態により近いモデル動物を提供することにある。より具体的には、アルツハイマー病の原因遺伝子と考えられるプレセニリン遺伝子に変異を加えた遺伝子（変異プレセニリン遺伝子）を相同組換え法で導入することにより、変異プレセニリン蛋白を脳内で発現可能な遺伝子変異動物を提供することが本発明の課題である。また、本発明の別の課題は、上記の遺伝子変異動物の作製方法、該作製方法に有用なプラスミド、及び該遺伝子変異動物を用いてアルツハイマー病の予防及び／又は治療に有用な物質を評価する方法を提供することにある。
【００１６】
本発明者らは、プレセニリン−１蛋白の役割を解明するため、 及びプレセニリン−１遺伝子の突然変異がどのような機作でアルツハイマー病を引き起こすのか解析するため、マウス自体が持っているプレセニリン−１遺伝子を上記ＯＳ−２型の変異をもつプレセニリン−１遺伝子と入れ換えたノックインマウスを作製した。その結果、この遺伝子変異動物ではトランスジェニックマウス及びノックアウトマウスの持つ欠点を回避することができ、変異プレセニリン−１遺伝子をもつ家族性アルツハイマー病の病因・病態解明に有用であることを見出した。本発明者らはさらに研究を続け、下記に述べる本発明を完成するに至った。
【００１７】
すなわち本発明は、変異プレセニリン遺伝子を有するヒト以外の遺伝子変異動物を提供するものであり、より好ましくは、プレセニリン−１蛋白のアミノ酸配列中の１つのアミノ酸が他のアミノ酸に置換した変異プレセニリン−１蛋白をコードするＤＮＡ配列を含む変異プレセニリン−１遺伝子を有する遺伝子変異動物を提供するものである。
【００１８】
また、プレセニリン−１蛋白のアミノ酸配列、好ましくはマウス由来のプレセニリン−１蛋白のアミノ酸配列において、次の番号：
第７９番、第８２番、第９６番、第１１５番、第１２０番、第１３５番、第１３９番、第１４３番、第１４６番、第１６３番、第２０９番、第２１３番、第２３１番、第２３５番、第２４６番、第２５０番、第２６０番、第２６３番、第２６４番、第２６７番、第２６９番、第２８０番、第２８５番、第２８６番、第２９０番、第３１８番、３８４番、第３９２番、第４１０番、第４２６番、及び第４３６番からなる群から選ばれる１又は２以上の箇所のアミノ酸が他のアミノ酸に置換したアミノ酸配列を有する変異プレセニリン−１蛋白をコードするＤＮＡ配列を含むプレセニリン−１変異遺伝子を有するヒト以外の遺伝子変異動物；
及び、プレセニリン−１蛋白のアミノ酸配列、好ましくはマウス由来のプレセニリン−１蛋白のアミノ酸配列において、
Ａ７９Ｖ、Ｖ８２Ｌ、Ｖ９６Ｆ、Ｙ１１５Ｈ、Ｙ１１５Ｃ、Ｅ１２０Ｋ、Ｅ１２０Ｄ、Ｎ１３５Ｄ、Ｍ１３９Ｖ、Ｍ１３９Ｔ、Ｍ１３９Ｉ、Ｉ１４３Ｆ、Ｉ１４３Ｔ、Ｍ１４６Ｌ、Ｍ１４６Ｖ、Ｈ１６３Ｙ、Ｈ１６３Ｒ、Ｇ２０９Ｖ、Ｉ２１３Ｔ、Ａ２３１Ｔ、Ａ２３１Ｖ、Ｌ２３５Ｐ、Ａ２４６Ｅ、Ｌ２５０Ｓ、Ａ２６０Ｖ、Ｃ２６３Ｒ、Ｐ２６４Ｌ、Ｐ２６７Ｓ、Ｒ２６９Ｇ、Ｒ２６９Ｇ、Ｒ２６９Ｈ、Ｅ２８０Ａ、Ｅ２８０Ｇ、Ａ２８５Ｖ、Ｌ２８６Ｖ、Ｓ２９０Ｃ、Ｅ３１８Ｇ、Ｇ３８４Ａ、Ｌ３９２Ｖ、Ｃ４１０Ｙ、Ａ４２６Ｐ、及びＰ４３６Ｓ、
（各アルファベットは一文字表記法によるアミノ酸を意味しており、数字はプレセニリン−１蛋白のＮ末端からのアミノ酸番号を示し、数字左側に示す野生型のアミノ酸が右側のアミノ酸に置換されていることを示す。以下、本明細書において、変異プレセニリン−１蛋白及び変異プレセニリン−２蛋白について同様に表示する。）
からなる群から選ばれる１又は２以上の変異を有する変異プレセニリン−１蛋白をコードするＤＮＡ配列を含む変異プレセニリン−１遺伝子を有するヒト以外の遺伝子変異動物が提供される。
【００１９】
さらに、プレセニリン−１蛋白の第２１３番のイソロイシンがイソロイシン以外のアミノ酸に置換した変異プレセニリン−１蛋白をコードするＤＮＡ配列を含む変異プレセニリン−１遺伝子を有するヒト以外の遺伝子変異動物；及び、プレセニリン−１蛋白の第２１３番のイソロイシンがスレオニンに置換した変異プレセニリン−１蛋白をコードするＤＮＡ塩基配列を含む変異プレセニリン−１遺伝子を有するヒト以外の遺伝子変異動物が提供される。
【００２０】
これらの発明の好ましい態様に従い、
プレセニリン−１蛋白のアミノ酸配列中の第２１３番のアミノ酸の近辺をコードするＤＮＡ配列が、次の配列：
5'-TGTGGTCGGGATGATMGCC ANC CACTGGAAAGGCCC-3'
（ただし、ＮはＴ以外の塩基を意味し、ＭはＴ又はＣを意味し、下線を付した塩基が第２１３番のアミノ酸をコードする塩基である。）に変異した変異プレセニリン−１遺伝子を有する上記遺伝子変異動物；
プレセニリン−１蛋白のアミノ酸配列中の第２１３番のアミノ酸の近辺をコードするＤＮＡ配列が、次の配列
5'-TGTGGTCGGGATGATMGCC ANC CACTGGAAAGGCCC-3'
（ただし、ＮはＣを意味し、ＭはＴ又はＣを意味し、下線を付した塩基が第２１３番のアミノ酸をコードする塩基である。）に変異した変異プレセニリン−１遺伝子を有する上記遺伝子変異動物；
プレセニリン−１蛋白のアミノ酸配列中の第２１３番のアミノ酸の近辺をコードするＤＮＡ配列が、次の配列
5'-TGTGGTCGGGATGATMGCC XYZ CACTGGAAAGGCCC-3'
（ただし、ＸＹＺはイソロイシン以外のアミノ酸をコードする３塩基のコドンを意味し、ＭはＴ又はＣを意味し、下線を付した塩基が第２１３番のアミノ酸をコードする塩基である。）に変異した変異プレセニリン−１遺伝子を有する上記遺伝子変異動物が提供される。
【００２１】
別の観点からは、本発明により、プレセニリン−２蛋白のアミノ酸配列において、第１４１番及び／又は２３９番のアミノ酸が他のアミノ酸に置換した蛋白をコードするＤＮＡ配列を含む変異プレセニリン−２遺伝子を有するヒト以外の遺伝子変異動物が提供され、その好ましい態様として、プレセニリン−２蛋白のアミノ酸配列において、Ｎ１４１Ｉ及び／又はＭ２３９Ｖの変異を有する変異プレセニリン−２蛋白をコードするＤＮＡ配列を含む変異プレセニリン−２遺伝子を有するヒト以外の遺伝子変異動物が提供される。
【００２２】
これらの遺伝子変異動物の好ましい態様として、アミロイドβ蛋白の過剰発現が変異プレセニリン−１遺伝子及び／又は変異プレセニリン−２遺伝子に起因する上記の遺伝子変異動物；変異プレセニリン蛋白を発現することができ、かつ該蛋白の発現が、哺乳類動物の脳の大脳皮質周辺部において進行性の神経疾患を形成させるのに十分な量のアミロイドβ蛋白を生産させるものである上記遺伝子変異動物；哺乳類動物の齧歯類、好ましくはマウスである上記遺伝子変異動物；変異プレセニリン−１遺伝子及び／又は変異プレセニリン−２遺伝子が相同組換えにより導入された上記遺伝子変異動物；変異プレセニリン−１遺伝子により引き起こされた脳組織でのアミロイド蛋白の発現量が、正常動物と比較して記憶学習試験において障害された行動を引き起こし、かつ当該動物の脳の海馬の大脳皮質周辺部において異常な神経病理を誘発するのに十分であることを特徴とする、上記遺伝子変異動物；並びに、プレセニリン−１蛋白のアミノ酸配列中の１又は２以上のアミノ酸が他のアミノ酸に置換した変異プレセニリン−１蛋白をコードする変異プレセニリン−１遺伝子とマーカー蛋白をコードする塩基配列とを含むＤＮＡを有するヒト以外の遺伝子変異動物が提供される。
【００２３】
さらに別の観点からは、プレセニリン−１蛋白のアミノ酸配列中の第２１３番のアミノ酸の近辺をコードするＤＮＡ配列が、次の配列：5'-TGTGGTCGGGATGATMGCC ANC CACTGGAAAGGCCC-3'（ただし、ＮはＡ、Ｇ、又はＣを意味し、ＭはＴ又はＣを意味し、下線を付した塩基は第２１３番のアミノ酸をコードする塩基である。）である変異プレセニリン−１遺伝子を含むプラスミド；及び
プレセニリン−１蛋白のアミノ酸配列中の第２１３番のアミノ酸がイソロイシン以外のアミノ酸に置換した変異プレセニリン−１蛋白をコードする変異プレセニリン−１遺伝子であって、第２１３番のアミノ酸の付近をコードするＤＮＡ配列が、次の配列：5'-TGTGGTCGGGATGATMGCC XYZ CACTGGAAAGGCCC-3'（ただし、ＭはＴ又はＣを意味し、ＸＹＺはイソロイシン以外をコードする３塩基のコドンを意味し、下線を付した塩基は第２１３番のアミノ酸をコードする塩基である。）である遺伝子を含むプラスミドが提供される。プレセニリン−１蛋白のアミノ酸配列中の第２１３番のアミノ酸がイソロイシン以外のアミノ酸に置換した変異プレセニリン−１蛋白をコードする変異プレセニリン−１遺伝子のエキソン８を含む染色体ＤＮＡも提供される。
【００２４】
また、プレセニリン−１蛋白のアミノ酸配列中の第２１３番のアミノ酸がイソロイシン以外のアミノ酸に置換した変異プレセニリン−１蛋白をコードする変異プレセニリン−１遺伝子のｃＤＮＡ又は染色体ＤＮＡの全長又は変異部分を含む塩基配列に対して Sau3AI 部位が導入されたＤＮＡを含むプラスミドが提供され、アミノ酸の置換が２１３番のイソロイシンからスレオニンへの置換である上記プラスミド；下記の塩基配列：5'-TGTGGTCGGGATGATMGCCACCCACTGGAAAGGCCC-3'（ここでＭはＴ又はＣを意味する。）で特定されるＤＮＡを含むプラスミドが提供される。
【００２５】
これらに加えて、マウス・プレセニリン−１蛋白のアミノ酸配列の第２１３番のイソロイシンがイソロイシン以外のアミノ酸に置換したマウス変異プレセニリン−１蛋白をコードする遺伝子；アミノ酸の置換がイソロイシンからスレオニンへの置換である上記遺伝子が提供される。また、(1) マウス・プレセニリン−１蛋白のアミノ酸配列の第２１３番のイソロイシンがイソロイシン以外のアミノ酸に置換したマウス変異プレセニリン−１蛋白をコードする遺伝子、及び(2) loxPではさまれたネオマイシン発現ユニットを含むプラスミド；アミノ酸の置換がイソロイシンからスレオニンへの置換である上記プラスミドも提供される（IoxPについては、すでに特表平４−５０１５０１号公報の第４頁に開示されている）。
【００２６】
さらに別の観点から、下記の塩基配列：
5'-TGTGGTCGGGATGATMGCCACCCACTGGAAAGGCCC-3'（ここでＭはＴ又はＣを意味する。）で特定されるＤＮＡを含むプラスミドが導入されたことを特徴とする胚；上記の各プラスミドを用いた相同組換えにより得られた胚；及び、哺乳類動物の齧歯類由来、好ましくはマウス由来の上記胚が提供される。また、上記の遺伝子変異動物の細胞を単離し、組織培養により培養することにより得られる初代培養細胞又は継代培養細胞；並びに、変異プレセニリン−１蛋白を発現することができ、かつ該蛋白の発現が脳の大脳皮質周辺部において進行性の神経疾患を形成させるのに十分な量のアミロイドβ蛋白を生産させることができる変異プレセニリン−１遺伝子を相同組換法により動物の胚に導入する工程を含む、ヒト以外の遺伝子変異動物の作製方法；及び第２１３番のイソロイシンがイソロイシン以外のアミノ酸に変異した変異プレセニリン−１変異蛋白を発現することができる上記方法が提供される。
【００２７】
また、被検化合物を投与した上記遺伝子変異動物と無投与の該動物との比較を行う工程を含む、アルツハイマー病の治療及び／又は予防に有用な物質の評価方法が提供される。この評価方法の代表例としてスクリーニング方法を挙げることができる。この発明の好ましい態様によれば、記憶学習試験により比較を行う上記評価方法；病理試験により比較を行う上記評価方法；大脳皮質周辺部での神経病理に基づく病理試験により比較を行う上記評価方法；神経病理に基づく病理試験による比較が、当該脳の大脳皮質周辺部での肥大したグリオーシスの減少の抑制、当該脳の大脳皮質周辺部での２−デオキシグルコース取り込みの減少の抑制、及び当該脳の大脳皮質での２−デオキシグルコース利用の減少の抑制からなる群から選択される１又は２以上の項目の比較である上記評価方法；並びに、当該動物の生存期間、探索行動、及び移動行動からなる群から選ばれる１又は２以上の項目について比較を行う上記評価方法が提供される。
【００２８】
さらに、上記初代培養細胞又は継代培養細胞を被検化合物の存在下でイン・ビトロ細胞培養する工程を含む、アルツハイマー病の治療及び／又は予防剤の評価方法；ＯＳ−２型変異プレセニリン−１蛋白をコードする変異プレセニリン−１遺伝子の部分塩基配列を用いることを特徴とする、アルツハイマー病又はアルツハイマー病の発症可能性の診断方法；上記の各評価方法により選択されたアルツハイマー病の治療及び／又は予防に有用な物質；並びに、上記物質を有効成分として含むアルツハイマー病の治療及び／又は予防剤が提供される。
【００２９】
また、上記の遺伝子変異動物と、アミロイド前駆体タンパク（ＡＰＰ）の変異蛋白質をコードする遺伝子を有しアミロイドβタンパクの産生量の多い動物とを掛け合わせることにより作製したハイブリッド動物およびその子孫であって、好ましくは、掛け合わせにより作製した、又は掛け合わせにより生まれたハイブリッドマウスおよびその子孫であって、変異プレセニリン遺伝子とアミロイド前駆体タンパクの変異蛋白質をコードする遺伝子を有する遺伝子変異動物が提供される。この発明の好ましい態様では、ＡＰＰの変異蛋白質をコードする遺伝子を有しアミロイドβの産生量の多い動物が、ＰＳ１変異マウスである上記遺伝子変異動物が提供される。
【発明を実施するための最良の形態】
【００３０】
本発明の遺伝子変異動物の作製に用いられる変異プレセニリン遺伝子（本明細書において「変異プレセニリン遺伝子」という場合には、変異プレセニリン−１遺伝子及び変異プレセニリン−２遺伝子のいずれか片方又は両者を意味する）は、変異プレセニリン蛋白（本明細書において「変異プレセニリン蛋白」という場合には、変異プレセニリン−１蛋白及び変異プレセニリン−２蛋白のいずれか片方、又は両者を意味する）をコードする遺伝子である。この変異プレセニリン遺伝子はアミロイドβ蛋白の生産量を増加させる性質を有している。本発明の遺伝子変異動物は、上記の変異プレセニリン遺伝子が、例えば相同組換え法により導入された哺乳類動物である。変異プレセニリン蛋白に存在する変異は、好ましくはアミノ酸残基の置換により生じたものであり、その変異の個数は制限されないが、好ましくは１個である。
【００３１】
哺乳類動物由来のプレセニリン−１蛋白の全長は、例えば E. Levy-Lahad, et al., Science, 269, pp.973-977, 1995に記載されている。ヒト及びマウス由来のプレセニリン−１蛋白の全長及び該蛋白をコードするＤＮＡ の一例をそれぞれ配列表の配列番号１〜４に示した。例えばマウス由来のプレセニリン−１蛋白においては、変異部位は、第７９番、第８２番、第９６番、第１１５番、第１２０番、第１３５番、第１３９番、第１４３番、第１４６番、第１６３番、第２０９番、第２１３番、第２３１番、第２３５番、第２４６番、第２５０番、第２６０番、第２６３番、第２６４番、第２６７番、第２６９番、第２８０番、第２８５番、第２８６番、第２９０番、第３１８番、３８４番、第３９２番、第４１０番、第４２６番、及び第４３６番から選ばれる１又は２個所以上であることが好ましい。
【００３２】
より好ましい変異は、プレセニリン−１蛋白のアミノ酸配列、より好ましくはマウス由来のプレセニリン−１蛋白のアミノ酸配列において、Ａ７９Ｖ、Ｖ８２Ｌ、Ｖ９６Ｆ、Ｙ１１５Ｈ、Ｙ１１５Ｃ、Ｅ１２０Ｋ、Ｅ１２０Ｄ、Ｎ１３５Ｄ、Ｍ１３９Ｖ、Ｍ１３９Ｔ、Ｍ１３９Ｉ、Ｉ１４３Ｆ、Ｉ１４３Ｔ、Ｍ１４６Ｌ、Ｍ１４６Ｖ、Ｈ１６３Ｙ、Ｈ１６３Ｒ、Ｇ２０９Ｖ、Ｉ２１３Ｔ、Ａ２３１Ｔ、Ａ２３１Ｖ、Ｌ２３５Ｐ、Ａ２４６Ｅ、Ｌ２５０Ｓ、Ａ２６０Ｖ、Ｃ２６３Ｒ、Ｐ２６４Ｌ、Ｐ２６７Ｓ、Ｒ２６９Ｇ、Ｒ２６９Ｇ、Ｒ２６９Ｈ、Ｅ２８０Ａ、Ｅ２８０Ｇ、Ａ２８５Ｖ、Ｌ２８６Ｖ、Ｓ２９０Ｃ、Ｅ３１８Ｇ、Ｇ３８４Ａ、Ｌ３９２Ｖ、Ｃ４１０Ｙ、Ａ４２６Ｐ、及びＰ４３６Ｓからなる群から選ばれる１又は２以上の変異である。これらの変異のうち、第２１３番のアミノ酸が他のアミノ酸へ置換する変異（本明細書において「ＯＳ−２型変異」という場合がある。）は特に好ましい変異であり、例えば、第２１３番のイソロイシンがイソロイシン以外のアミノ酸に置換した変異、又は第２１３番のイソロイシンがスレオニンに置換した変異が特に好適である。
【００３３】
哺乳類動物由来のプレセニリン−２蛋白の全長は、例えば Science, 269, pp.973-977, 1995 に記載されている。変異部位としては、第１４１番及び／又は２３９番が好ましく、マウス由来の配列においてはＮ１４１Ｉ及び／又はＭ２３９Ｖがより好ましい。プレセニリン−１蛋白及びプレセニリン蛋白−２のいずれか片方、又は両者に変異が存在していてもよい。
【００３４】
本発明の遺伝子変異動物は、その染色体ＤＮＡ上に上記の変異プレセニリン−１遺伝子及び／又は変異プレセニリン−２遺伝子を有することを特徴としている。本発明の遺伝子変異動物は哺乳類動物であればよく、その種類は特に限定されないが、例えば、ゲッ歯類動物を好適に用いることができる。特に好ましいのはマウスである。本発明の遺伝子変異動物は、変異プレセニリン遺伝子を含む約１０ｋｂｐ程度の配列を有するＤＮＡを用いてプラスミドを作製し、そのプラスミドを胚性幹細胞に導入することにより、細胞内で相同組えを起こさせることにより作製することができる。
【００３５】
本発明の遺伝子変異動物は、上記の変異プレセニリン−１遺伝子及び／又は変異プレセニリン−２遺伝子が相同組換えにより導入された結果、アミノ酸変異がほとんどの場合１個所で起こるという特徴がある。いわゆるトランスジェニック動物の場合には、変異部分のＤＮＡ 配列がランダムに染色体ＤＮＡ 上に挿入され、多くの場合、繰り返し配列の数十コピ−が複数箇所に挿入されている。本発明の遺伝子変異動物ではこのような問題が回避されており、アルツハイマー病の病態を遺伝子レベルで正確に解析することが可能である。もっとも、本発明の遺伝子変異動物においてマーカー等を含むＤＮＡを導入した場合は、そのマーカー部分及びマーカーを挿入するための配列などを含む場合もある。例えば、Sau3AIで切断可能な部位を挿入するために１塩基を置換することができ、ＰＣＲ産物をSau3AIで切断して電気泳動等で確認することができる。
【００３６】
本発明の遺伝子変異動物は、その遺伝子変異の結果、正常動物に比べてβアミロイド蛋白をより多量に生産するという特徴を有している。本発明の遺伝子変異動物により達成されるアミロイドβ蛋白の増加量は特に限定されないが、例えば、記憶障害、病理所見、各種の神経障害の程度を評価した場合に正常動物との間で実質的な差異が認められる程度であることが好ましい。
【００３７】
本発明により提供されるＤＮＡ、プラスミド、培養細胞、及び哺乳類動物細胞の胚も同様に上記の変異プレセニリン−１遺伝子及び／又は変異プレセニリン−２遺伝子を有することにより特徴づけられる。例えば、変異プレセニリン−１蛋白、好ましくはＯＳ−２型変異プレセニリン−１蛋白をコードする変異プレセニリン−１遺伝子のｃＤＮＡ若しくは染色体ＤＮＡの全長又は変異部分を含むＤＮＡ配列；上記ｃＤＮＡ若しくは染色体ＤＮＡの全長又は変異部分を含むＤＮＡ配列にSau3AI 部位を導入したＤＮＡを含むプラスミド；ＯＳ−２型変異プレセニリン−１蛋白をコードする変異プレセニリン−１遺伝子のエキソン８を含む染色体ＤＮＡはいずれも本発明の範囲に包含される。また、これらの遺伝子又はＤＮＡにおいて１又は２個以上、好ましくは１個ないし20個、より好ましくは１個ないし数個の塩基が置換したものも本発明の範囲に包含される。
【００３８】
本発明のＤＮＡ又はプラスミドの例としては、例えば、
1)プレセニリン−１の第２１３番のイソロイシンがスレオニンに置換した変異プレセニリン−１蛋白をコードする変異プレセニリン−１遺伝子からなるＤＮＡ，及び該ＤＮＡを含むプラスミド；
2)変異プレセニリン−１蛋白のアミノ酸配列中の第２１３番付近のアミノ酸をコードするＤＮＡ 塩基配列が、次の配列：
5'-TGTGGTCGGGATGAT M GCCA N CCACTGGAAAGGCCC-3'
（ただし、ＮはＴ以外の塩基を意味し、ＭはＴ又はＣを意味する。）である変異プレセニリン−１遺伝子からなるＤＮＡ、又は該ＤＮＡを含むプラスミド；
3)ＯＳ−２型変異変異プレセニリン−１蛋白のアミノ酸配列中の第２１３番付近のアミノ酸をコードするＤＮＡ 塩基配列が、次の配列：
5'-TGTGGTCGGGATGAT M GCC XYZ CACTGGAAAGGCCC-3'
（ただし、ＭはＴ又はＣを意味し、ＸＹＺはイソロイシン以外をコードする３塩基のコドンを意味する。）である変異プレセニリン−１遺伝子からなるＤＮＡ、又は該ＤＮＡを含むプラスミド；
4)Sau3AI制限部位が導入された前記1)〜4)のいずれかに記載のＤＮＡ、又は該ＤＮＡを含むプラスミド；
【００３９】
5)プレセニリン−１蛋白のアミノ酸配列中の第２１３番のイソロイシンがスレオニンに置換された変異プレセニリン−１蛋白をコードする変異プレセニリン−１の遺伝子のｃＤＮＡ若しくは染色体ＤＮＡの全長又は変異部分を含んだ配列にSau3AI制限部位が導入されたＤＮＡ、又は該ＤＮＡを含むプラスミド；
6)ＯＳ−２型変異マウスプレセニリン−１蛋白をコードする変異マウスプレセニリン−１遺伝子のエキソン８と、loxPではさまれたネオマイシン (neomycin）発現ユニットとを含むＤＮＡ、又は該ＤＮＡを含むプラスミド；並びに
7)プレセニリン−１蛋白のアミノ酸配列の第２１３番のイソロイシンがスレオニンに置換した変異プレセニリン−１蛋白をコードする変異プレセニリン−１遺伝子のエキソン８と、loxPではさまれたネオマイシン (neomycin）発現ユニットとを含むＤＮＡ、又は該ＤＮＡを含むプラスミド
などを挙げることができるが、本発明の範囲はこれらの具体例に限定されることはない。
【００４０】
本発明により提供される胚又は細胞としては、上記のプラスミド、例えばPRL -104又はPRL-105 の塩基配列を有するプラスミドを挿入した胚又は細胞を挙げることができる。また、前記のプラスミドを用いた相同組換えにより、プレセニリン−１蛋白のアミノ酸配列の第２１３番に変異を含む変異プレセニリン−１蛋白をコードする遺伝子を導入した細胞は、本発明の好ましい細胞である。胚又は細胞は哺乳類動物由来であればその種類は特に限定されないが、ゲッ歯類動物由来、好ましくはマウス由来の胚又は細胞を用いることができる。
【００４１】
［遺伝子変異動物の作製］
ヒト変異プレセニリンをコードするＤＮＡを入手した後に、本発明のプレセニリン遺伝子変異動物を以下に述べる工程に従って作製することができる。以下、哺乳類動物としてマウスを用い、ヒト変異プレセニリン遺伝子としてヒト・変異プレセニリン−１遺伝子を用いる例について説明するが、本発明の遺伝子変異動物はこれらを用いて作製されるものに限定されることはない。また、この方法は本発明の遺伝子変異動物の作製方法の一例であり、本発明の遺伝子変異動物の作製方法は以下の方法に限定されることはない。ここに記載された一般的な方法及び実施例に記載された具体的な方法を参照することにより、また必要に応じてこれらの方法に適宜の修飾ないし改変を加えることにより、当業者は本発明の遺伝子変異動物を容易に作製することができる。
【００４２】
まず、ＰＣＲ 法で用いるプローブを作製するために、マウス・ジェノミックＤＮＡライブラリーから、作製しようとする変異動物のプレセニリン−１遺伝子のエキソン８中の変異させる部位を含むＤＮＡ 断片を得る。マウス・ジェノミックＤＮＡライブラリーとしては、実施例で述べる129 系統のマウスジェノミックＤＮＡのほか、いかなる系統のマウスのジェノミックＤＮＡライブラリーを用いてもよい。変異を導入しようとする動物としてマウスを用いる場合には、マウス・プレセニリン−１遺伝子のエキソン８を用いるが、他の種類の動物においては適宜の部分を選択する必要がある。
【００４３】
つぎに、上記工程で作製したＤＮＡ 断片をランダムプライミングでラベル化(32Ｐ) した後、ラベル化したプローブを用いてジェノミックライブラリーをスクリーニングし、プレセニリン−１遺伝子のエキソン８を含む染色体ＤＮＡ 断片をクローニングする。さらに、クローニングしたプレセニリン−１遺伝子のエキソン８中の変異させる部分をサブクローニングした後に変異を導入する。
【００４４】
変異を導入したマウス・プレセニリン−１遺伝子のエキソン８を含む染色体ＤＮＡを含むターゲッティングベクターを作製する。ターゲッティングベクターには、選択マーカーとしてneo 発現ユニットを導入しておき、G418（抗生物質）を培地に添加することにより、ベクターが染色体に導入されなかった細胞を死滅させるようにしておく。このターゲッティングベクターをエレクトロポレーション法や遺伝子を細胞内に導入する他の方法によってＥＳ細胞に導入した後、 G418 存在下でＥＳ細胞を培養し、出現してくるコロニーを採取する。得られたコロニーを二つに分け、一つは培養・継代あるいは凍結により保存しておき、他の一つを使用して相同組換えにより目的とするマウス・プレセニリン−１遺伝子のエキソン８の変異が導入されたＥＳ細胞を調べる。目的とする変異が導入されたＥＳ細胞のコロニーの保存してある分を取り出して以下の工程に用いる。
【００４５】
別途、妊娠マウスから８細胞期胚を取り出し、上記の保存してあった約２０個位のＥＳ細胞をまぶした後、偽妊娠させたメスマウスの子宮に導入する。生まれてきた仔の中から毛色がキメラのマウスを選択する。キメラマウスをC57BL/6 系統と交配させ、生まれてきた仔の中から毛色がアグチのものを選択することにより、目的とする変異の入ったマウスを取得することができる。なお、このマウスは変異の入ったプレセニリン−１遺伝子に関してはヘテロであり、もう１本の染色体にあるプレセニリン−１遺伝子は変異のない野生型である。
【００４６】
マウス・プレセニリン−１遺伝子のエキソン８を含む染色体ＤＮＡをマウス・ジェノミックＤＮＡライブラリーからクローニングするためのプローブを作製するための出発材料としては、実施例に具体的に述べる方法のほか、塩基配列が明らかにされているマウスやヒト等の他の哺乳類動物由来のプレセニリン−１遺伝子のｃＤＮＡを用いてもよい。プローブとなるＤＮＡ断片を得る方法としては、実施例に述べるＰＣＲ法による増幅法のほか、染色体ＤＮＡのマウス・プレセニリン−１遺伝子のエキソン８に対応する部分を含むマウス染色体ＤＮＡ、又は塩基配列が明らかにされているマウスやヒト等の他の哺乳類動物由来のプレセニリン−１遺伝子のｃＤＮＡを含むプラスミドを大量に調製する方法などを採用することができる。また、このプラスミドを制限酵素で切断した後、アガロースゲル電気泳動等の手段を用いてＤＮＡ断片として必要な部分を分取することによっても目的のＤＮＡ断片を得ることができる。
【００４７】
ＤＮＡ断片をラベル化する方法としては、実施例に述べるランダムプライミング法のほか、32P-dNTP存在下にＰＣＲを行う方法などを用いることができる。また、予めラベルしたオリゴデオキシヌクレオチドをプライマーとして使用することにより、ＰＣＲ法あるいはランダムプライミング法でラベル化してもよい。ラベル化には、実施例に示すラジオアイソトープのほか、ビオチン−アビジン（Biotin-Avidin)系あるいはアルカリフォスファターゼ（alkalinephosphatase)等を用いる化学発光法も利用できる。また、T3又はT7 ＲＮＡポリメラーゼを用いてラベルしたＲＮＡ断片をプローブとして使用できる。この他、プローブを作製する方法は種々知られておりが、いかなる方法を採用して目的とするプローブを取得してもよい。
【００４８】
目的とする変異をＤＮＡに導入する方法としては、実施例に具体的に示した方法のほか、M13 等のファージ由来のプラスミド又は ung- 大腸菌を用いて複製したプラスミドを用いて、目的の変異を導入したい部分に変異を導入するために合成したオリゴデオキシヌクレオチドを相補的に（変異導入部位の塩基のみは相補的ではない) 結合させ、これをプライマーとしてＤＮＡポリメラーゼでヘテロな二本鎖ＤＮＡプラスミドを作製し、このプラスミドで大腸菌(ung+) を形質転換することにより目的の変異を持ったプラスミドを取得することができる。また、目的とする変異を導入するために塩基を変更してあり、かつ互いに相補的にアニールすることができ、両端に制限酵素部位が生じるように設計された二本のオリゴデオキシヌクレオチドを合成し、変異を導入すべきプラスミドにＤＮＡリガーゼを用いて結合させる方法（カセット法)を採用して、目的の変異を持ったプラスミドを取得することもできる。これらの方法を目的に応じて適宜修飾ないし改良することにより、一層効率的に目的を達成できる場合がある。これらの他、変異を導入する方法は当業界で利用可能な種々の変異導入法が知られており、いずれの方法によっても目的を達成できる。
【００４９】
ターゲッティングベクターは、変異を導入したマウス染色体ＤＮＡ断片、選択マーカーをコードするＤＮＡ断片、これの転写を制御するためのプロモーター、及びターミネーターを含む選択マーカー発現ユニットを必須要素として含んでいることが好ましい。変異を導入したマウス染色体ＤＮＡ断片は、ＥＳ細胞内で相同組換えを起こすために必要な部分であり、変異を導入した箇所を挟んで前後のマウス染色体ＤＮＡ断片が必要である。すなわち、ターゲッティングベクターは、変異させた塩基のみが本来のマウス染色体ＤＮＡとは異なるＤＮＡ断片を持っている。その断片の長さは１０ kbp 程度が好ましいが、一般的には多少の長さの増減は許容される。もっとも、あまりに短い場合には、ＥＳ細胞内での相同組換えの頻度が低下する場合がある。
【００５０】
選択マーカーとしては、ネオマイシン耐性遺伝子、ハイグロマイシン耐性遺伝子等のポジティブ選択マーカー、単純ヘルペスウイルスのチミジンキナーゼ遺伝子、ジフテリア毒素Ａフラグメント等のネガティブ選択マーカーなどが知られており、培養細胞株の選択マーカーとして使用されている選択マーカーはＥＳ細胞において何れも使用することができる。ネガティブ選択マーカーを使用する場合は、ターゲッティングベクターのマウス染色体ＤＮＡ断片の外に挿入することが必要であり、ポジティブ選択マーカーを使用する場合は、その発現ユニットをターゲッティングベクターのマウス染色体ＤＮＡ断片の中のイントロン中に挿入することが必要である。ポジティブ選択マーカーをエキソン中に挿入すると、挿入された遺伝子は機能を失うのが通常であり、最終目的である変異の影響を調べるために作製するマウスを得ることができない場合がある。
【００５１】
ＥＳ細胞株としては129 系統のマウス由来の株が多く使用されているが、この系統のＥＳ細胞としては、実施例で述べるR1のほか、D3、CCE 、J1、AB1 などのＥＳ細胞を用いてもよい。また、例えばC57BL/6 系統のマウス等、129 系統以外のマウス由来のＥＳ細胞も使用できる。ＥＳ細胞にターゲッティングベクターを導入する方法としては、実施例で述べるエレクトロポレーション法が一般的であるが、リン酸カルシウム共沈法やリポソーム法など、培養細胞株へのプラスミド導入に利用可能な方法であれば何れの方法を採用してもよい。ターゲッティングベクター導入後のＥＳ細胞を選択マーカー存在下で培養すると、生き残ってコロニーを形成するＥＳ細胞は相同組換えを起こしている可能性がある。これらのコロニーを形成したＥＳ細胞の中から相同組換えを起こしている細胞を調べる方法として一般的にはＰＣＲ法が用いられるが、プローブとして使用できるＤＮＡ断片、ＲＮＡ断片、合成オリゴデオキシヌクレオチド、又は抗体などを使用することも可能である。
【００５２】
ＥＳ細胞を発生初期の受精卵に混入させた後、発生を継続させ、精子あるいは卵子がＥＳ細胞由来のマウスを得ることができる。相同組換えを起こしたＥＳ細胞を発生初期の受精卵に混入させる方法としては、実施例に述べる方法のほか、胞胚期の受精卵を妊娠マウスより取り出し、これに注入用ピペットで10〜20個のＥＳ細胞を注入した後、偽妊娠させたメスマウスの子宮に移植することにより発生を継続させて仔を得る方法などを採用することができる。
【００５３】
ＥＳ細胞を混入させる際に使用する発生初期の受精卵はいずれの系統のマウスから採取したものでもよいが、混入させたＥＳ細胞が生まれた仔に取り込まれているかどうか分かりやすいように、ＥＳ細胞の元になっている系統のマウスとは毛色の異なる系統のマウスの受精卵を使用するのが好ましい。例えば、実施例において使用したＥＳ細胞はアグチ色（agouti色、淡褐色）の129 系統であり、受精卵が由来するマウス（C57BL/6 系統）は黒色の系統である。これらを用いて生まれてきた仔の中からキメラの毛色をしている仔を選択することにより、ＥＳ細胞由来の細胞を持っている仔を容易に選択することが可能である。この場合、アグチ色の割合の多い仔ほど生殖細胞がＥＳ細胞由来となっている可能性が高い。なお、偽妊娠させるマウスはどの系統のマウスでもよい。
【００５４】
得られたキメラマウスを交配させて目的とする変異導入マウスを取得するために使用するマウスも、ＥＳ細胞の元になっている系統のマウスとは毛色の異なる系統のマウスを使用するのが好ましい。通常、キメラマウスのオスと他系統のメスを交配させ、アグチ色の仔を得ればそれが目的とする変異をヘテロの状態で持っているマウスである。ＯＳ−２型変異のプレセニリン−１遺伝子を持つマウスは、lox Ｐ配列で挟まれたneo 発現ユニットを有しているため、cre 遺伝子導入トランスジェニックマウスとの交配によりneo 発現ユニットが取り除かれたマウスを得ることができる。
【００５５】
本明細書の従来の技術で述べたように、プレセニリン−１蛋白及びプレセニリン−２蛋白の突然変異は、Ａβ42の増加により老人斑の形成を促進し、アルツハイマー病を発症させると考えられる。一方、家族性アルツハイマー病の原因であるＡＰＰの突然変異体をコードする遺伝子を導入したトランスジェニックマウスにおいて、脳内にアミロイド沈着を生じるマウスが報告されている（Games D.等：Nature  373巻、523頁、1995年。 HsiaoＫ. 等：Science  274巻、99頁、1996年。Sturchler-Pierrat C.等：Proc. Natl. Acad. Sci. U.S.A.. 94巻、24号、13287頁、 1997年）。これらのトランスジェニックマウスでは、脳内でのＡβの産生量が増加しているためにアミロイド沈着が生じていると考えられている。
【００５６】
ＡＰＰの突然変異体をコードする遺伝子が導入され、脳内にアミロイド沈着を生じるトランスジェニック動物(導入遺伝子に関してホモであってもヘテロであってもよい)と、本発明のPS１遺伝子変異動物(変異遺伝子に関してホモであってもヘテロであってもよい)とを交配することにより、ハイブリッド動物を作製することができる。動物としてはマウスが好ましい。交配に際して、どちらの側の動物がオスであってもよい。
得られる仔の尾の一部を採取し、染色体ＤＮＡを抽出する。抽出した染色体ＤＮＡを基質として、ＡＰＰの突然変異体をコードする遺伝子の突然変異部位を挟むように設計した塩基配列を持つ二本のオリゴデオキシヌクレオチドおよび変異PS１遺伝子の変異部位を挟むように設計した塩基配列を持つ二本のオリゴデオキシヌクレオチドをプライマーとしたＰＣＲを行う。
【００５７】
ＰＣＲ産物のアガロースゲル電気泳動を行い、バンドの有無、バンドのゲル上での易動度、変異部位を含む塩基配列を持つオリゴデオキシヌクレオチドを用いたハイブリダーゼーションによる変異を含むバンドの確認等により、抽出した染色体ＤＮＡに、ＡＰＰの突然変異体をコードする遺伝子および本発明の変異PS1遺伝子が含まれているかどうかを調べることができる。ＰＣＲは実施例の例８に記載した方法に準じて行うことができる。ＰＣＲのプライマーに使用するオリゴヌクレオチドの塩基配列は、ＡＰＰの突然変異体をコードする遺伝子あるいは変異PS１遺伝子を検出できるものであればいかなるものでもよい。ＰＣＲの結果に基づいて、ＡＰＰの突然変異体をコードする遺伝子を有し、かつ、本発明の変異PS1遺伝子を持つ動物を選抜することにより、両遺伝子をそれぞれヘテロで持つ動物を得ることができる。
【００５８】
ＡＰＰの突然変異体をコードする遺伝子および本発明の変異プレセニリン−１遺伝子の両遺伝子をホモで持つ動物を得るためには、この両遺伝子をそれぞれヘテロで持つ動物のうち、適当なオスおよびメスを選んで交配することにより得られる仔の中から、両遺伝子をホモで持つ個体を選択すればよい。ＡＰＰの突然変異体をコードする遺伝子をホモで持つことを確認するためには、仔の尾の一部を採取し、染色体ＤＮＡを抽出し、抽出した染色体ＤＮＡを制限酵素で切断した後、アガロースゲル又はアクリルアミドゲルを用いて電気泳動を行なう。その後、メンブランフィルターにＤＮＡをブロッティングした後、ＡＰＰの突然変異体をコードする遺伝子と特異的に結合できる塩基配列を持つオリゴデオキシヌクレオチドをプローブとしてサザンブロッティングを行い、得られるバンドの濃さを測定すればよい。
【００５９】
この方法に準じて本発明の変異プレセニリン−１遺伝子をホモで持つことを確認することができる。サザンブロッティングにプローブとして用いるオリゴデオキシヌクレオチドは、放射性同位元素、蛍光色素等サザンブロッティングに通常使用される手段により標識して用いることが可能である。このようにして、ＡＰＰの突然変異体をコードする遺伝子および本発明の変異プレセニリン−１遺伝子の両遺伝子を持つマウスを作製することができる。このような方法で作製したハイブリッドマウスは、脳内のアミロイドβタンパクの生産がより多く、また、アミロイドの沈着が促進されているという特徴がある。
【００６０】
本発明の遺伝子変異動物、変異プレセニリン遺伝子を導入した細胞、変異プレセニリン遺伝子を含むプラスミド等を用いて、アルツハイマー病の予防及び／又は治療に有用な物質をスクリーニングし、その有用性を評価することができる。健常な哺乳類動物ではアミロイドβの蓄積は極めて徐々に生じるが、本発明の遺伝子変異動物は、アミロイドβの産生が多いという特徴を有している。従って、本発明の遺伝子変異動物に種々の被検物質を投与し、非投与群の動物又は対照物質投与動物と比較することにより、アルツハイマー病の予防及び／又は治療に有用な物質を評価することができる。評価の代表例として被検物質のスクリーニングを挙げることができ、試験項目としては、症状、病理所見、薬理試験等を採用することができる。
【００６１】
また、本発明の細胞を用いる場合には、本発明の動物から分離して初代培養細胞として用いることができるほか、その初代培養細胞をウイルス等で不死化した後、継代培養して数日毎に当該培養細胞の一部を取り出して再び新しい組織培養液で培養することにより、当該細胞を安定して継代培養細胞とすることができる。なお、本発明の細胞には、遺伝子変異動物から分離した神経細胞などの初代細胞のほか、初代細胞を継代培養していわゆるライン化された継代培養細胞も包含される。本発明の細胞として神経細胞を用いる場合には、細胞が変異プレセニリン−１蛋白を発現する結果としてアミロイドβ蛋白が多量に発現される。このような神経細胞のインビトロの培養系に被検物質を添加した後、例えば細胞の生存期間や一定期間経過後の生細胞数などを比較することにより、アミロイドβ蛋白の蓄積が関与する神経細胞死を予防又は遅延させる物質をスクリーニングし、その有用性を評価することができる。
【実施例】
【００６２】
以下、実施例により本発明をさらに具体的に説明するが、本発明の範囲はこれらの例に限定されることはない。実施例中、プレセニリン−１遺伝子をＰＳ−１と略する場合がある。
例１：マウス・プレセニリン−１（PS1）遺伝子のエキソン８を含む染色体ＤＮＡのクローニング
マウスＰＳ１遺伝子のエキソン８を含む染色体ＤＮＡ断片取得用のプローブ作製のため、まず下記の2 本のオリゴデオキシヌクレオチドを合成した。
PR-8-U：5'- ＧＧＡＡＴＴＴＴＧＧＴＧＴＧＧＴＣＧＧＧＡＴＧＡＴ-3'(25mer)
PR-8-L：5'- ＧＧＴＣＣＡＴＴＣＧＧＧＧＡＧＧＴＡＣＴＴＧＡ-3'(23mer)
【００６３】
この２本のオリゴデオキシヌクレオチドをプライマーとして、１２９ＳＶＪマウスジェノミックライブラリー（Stratagene社製）より抽出したＤＮＡを用いてＰＣＲを行い、得られた約130bp の増幅されたＤＮＡ断片を得た。この断片を32Ｐ−ｄＣＴＰ存在下、ランダムプライムラベル法によりラベルしたものをプローブとし、１２９ＳＶＪマウスジェノミックライブラリーをスクリーニングした。得られた陽性ファージクローンの塩基配列を調べ、目的とするマウスＰＳ−１遺伝子のエキソン８を含む染色体ＤＮＡを持ったクローンであること確認した。このクローニングした染色体ＤＮＡをＰαとし、その制限酵素地図を作製した（図１）。
【００６４】
例２：突然変異導入用プラスミドの作製：
Ｐαを持つクローン化したファージよりＤＮＡを抽出し、 SalＩで切断後、1.0%アガロースゲル電気泳動を行い、Ｐαを回収した。ＰαをPstＩおよび XbaＩで切断後、１％アガロ−スゲル電気泳動を行い、マウスＰＳ１の第２１３番目のアミノ酸であるイソロイシンをコードしている塩基を含む約６００bpのＤＮＡ断片を回収し、これをX-１とした。X-１を予め PstＩおよび XbaＩで切断したプラスミド pBluescript II KS＋（Stratagene社製）とＴ４リガーゼを用いて結合させ、大腸菌を形質転換してプラスミドpX-1を得た。
【００６５】
例３：ＯＳ−２型突然変異の導入：
プラスミドpX-1に下記の２本のオリゴデオキシヌクレオチドPRL-104 および PRL-105を用いて、ＯＳ−２型突然変異および制限酵素Sau3AI部位を新たに導入した。なお、PRL-104 およびPRL-105 は何れも36mer で、互いに相補性となっている。
PRL-104 ：5'-TGTGGTCGGGA TGATC* GCCA C CCACTGGAAAGGCCC-3'
PRL-105 : 5'-GGGCCTTTCCAGTGG G TGGCG* ATCATCCCGACCACA-3'
（下線を付した塩基はＯＳ−２型変異導入のため本来の塩基を変異させてある：PRL-104 では本来はＴ、PRL-105 では本来はＡである。また、アステリスクを付した塩基はSau3AI部位導入のため本来の塩基を変異させてある：PRL-104 では本来はＴ 、PRL-105 では本来はＡである）。
変異の導入はQUICK CHANGE SITE-DIRECTED MUTAGENESISKIT （Stragene社製）を使用し、同社のプロトコールに従って実施した。塩基配列を調べて変異が正しく導入されていることを確認し、この変異を持ったX-1 をmX-1とし、mX-1を持つプラスミドをp mX-1とした（図２）
【００６６】
例４：ＯＳ−２型変異を持った染色体ＤＮＡの作製
例１で得たマウスPS-1のエキソン８を含むＰαをNco Ｉで切断後、４種類のｄＮＴＰｓ存在下、Ｔ４ＤＮＡポリメラーゼで平滑末端とした。ついで、Asp718I で切断後、１％アガロースゲル電気泳動を行い、エキソン８を含む約５kbp のＤＮＡ断片を回収した。このＤＮＡ断片を、予めSma I およびAsp718 Iで切断したプラスミドpBluescript II KS＋とＴ４ＤＮＡリガーゼで結合し、大腸菌を形質転換してプラスミドpSB-0 を得た。pSB-0 をXba I で完全に切断した後、Pst I で部分消化を行った。一方、pmX-1をXba I および Pst Iで切断した後、１％アガロースゲル電気泳動を行いmX-1を回収した。上記のPst I 断片にmX-1をＴ４ＤＮＡリガーゼで結合させ、大腸菌を形質転換した。形質転換した大腸菌のコロニーを調べ、プラスミドpSB-0 のX-1 部分がmX-1と置換されているプラスミドを持つコロニーを選択し、回収したプラスミドをpmSB-0とした（図３）。
【００６７】
また、ＰαをBamH Iおよび Sal Iで切断後、１％アガロースゲル電気泳動を行い、約７kbp のエキソン８を含むＤＮＡ断片を回収した。予めBam H I およびSal I で切断した pBluescript II KS＋をこの断片にＴ４ＤＮＡリガーゼで結合させ、大腸菌を形質転換してプラスミドpSB-１を得た。pmSB-0をNco I で切断後、４種のｄＮＴＰｓ存在下T4ＤＮＡ ポリメラーゼで平滑末端化し、更に XbaI で切断後、１％アガロースゲル電気泳動を行った。回収したエキソン８を含む約２.２kbp のＤＮＡ断片ＸＮと pSB-1を Xba IおよびPst I で切断後、１％アガロースゲル電気泳動を行った。回収したエキソン８を含まない約２.３kbp のＤＮＡ断片ＰＸをＴ４ＤＮＡリガーゼで結合させた。これを、予めXba I で切断してから４種のｄＮＴＰｓ存在下にＴ４ＤＮＡポリメラーゼで平滑末端化した後、Ｔ４ＤＮＡリガーゼで再結合させ、さらにSma I および Pst Iで切断したプラスミドpBluescript II KS＋とＴ４ＤＮＡリガーゼを用いて結合させ、大腸菌を形質転換した。形質転換した大腸菌のコロニーを調べ、ＤＮＡ断片ＮＸとＸＰがXba I 部位で結合したＤＮＡ断片を１個だけ含むプラスミドpmSB-0' を得た（図４）
【００６８】
例５：ターゲッティングベクターの基本骨格の作製
プラスミドpmSB-0' をXba I 部位に Eag I部位を導入するため次の塩基配列を持つオリゴデオキシヌクレオチドを合成した。
5'-CTAGACGGCCGT-3'（12 mer）
このオリゴデオキシヌクレオチドは CGGCCG 部分の相補性を持つ塩基配列を介してアニールすることができ、Xba I で切断した部位に挿入すると以下のようになる。
【表１】
0004290329.tif 000002
【００６９】
プラスミドpmSB-0' をXba I で切断後、このオリゴデオキシヌクレオチドを加えＴ４ＤＮＡリガーゼで結合させ、大腸菌を形質転換し、プラスミドpmSB-0' のXba I 部位に Eag I部位が挿入されたプラスミドpmSB-0'eagを得た。このpmSB-0'eagをNco I および Sal I で切断後、１％アガロースゲル電気泳動を行い、エキソン８を含む約 5 .3 kbp のＤＮＡ断片ＳＮを回収した。また、pSB-１をBamHIおよびNco I で切断後、１％アガロースゲル電気泳動を行い、エキソン８を含まない約２kbp のＤＮＡ断片ＮＢを回収した。ＳＮおよびＮＢをＴ４ＤＮＡリガーゼで結合させ、BamH IおよびSal I で処理することにより、両ＤＮＡ断片がNco I 部位で結合したＤＮＡ断片を得た。このＤＮＡ断片を、予め、 Not Iで切断後マングビーンヌクレアーゼ処理により平滑末端化し、Ｔ４ＤＮＡリガーゼで再結合させることによりNot I 部位およびそれに重なっている Eag I部位を壊し、さらにBamH Iおよび Sal Iで切断したプラスミドpBluescript II KS ＋とＴ４ＤＮＡリガーゼを用いて結合させ、大腸菌を形質転換してプラスミドpAを得た（図５）。
【００７０】
例６：ターゲッティングベクターの作製
プラスミドpPNT (Victor L.J.等：Cell65巻、1153頁、1991年) をXho I およびBamＨ Iで切断後、Ｔ４ＤＮＡポリメラーゼを用いて平滑末端化し、１％アガロースゲル電気泳動を行った。回収したneo 発現ユニットを含む約1.7kbpのＤＮＡ断片を、予めBam ＨIで切断後、Ｔ４ＤＮＡポリメラーゼを用いて平滑末端化したプラスミドpBS246（ギブコＢＲＬ社製）に対してＴ４ＤＮＡリガーゼを用いて結合させ、大腸菌を形質転換してプラスミドpBS246neo を得た。このプラスミドをNot I で切断後、１％アガロースゲル電気泳動を行い、loxP配列に挟まれたneo 発現ユニットを持つ約２ kbpのＤＮＡ断片を回収した。このＤＮＡ 断片を、予め EagIで切断したpA とＴ４ＤＮＡリガーゼを用いて結合させ、大腸菌を形質転換した。形質転換した大腸菌のコロニーを調べ、neo 遺伝子の方向がPS-1遺伝子と同方向になっているプラスミドpBを得た（図６）。
【００７１】
プラスミドpBをBamHＩおよび Sal Iで切断後、１％アガロースゲル電気泳動を行い、ＯＳ−２型変異を持ち、かつloxP配列に挟まれたneo 発現ユニットを持つＤＮＡ断片Ｃを回収した。また、ＰαをSal I および BamＨ Iで切断して得た約６.5 kbpのＤＮＡ断片をpBluescript II KS＋ヘサブクローニングして得たプラスミドpSB-2 を、Hind IIIおよび BamＨ Iで切断後、１％アガロースゲル電気泳動を行い、約４kbp のＤＮＡ断片Ｄを回収した。ＤＮＡ断片ＣおよびＤをＴ４ＤＮＡリガーゼを用いて結合した後、Hind IIIおよび Sal Iで切断し、ＤＮＡ断片ＣとＤがBam Ｈ I部位で結合したＤＮＡ断片を得た。このＤＮＡ断片を、予めHin ｄIII およびSal I で切断した pBluescript II KS ＋とＴ４ＤＮＡリガーゼを用いて結合させ、大腸菌を形質転換し、ターゲッティングベクターpＯＳ−２neoloxPを得た（図７）。
【００７２】
例７：ＥＳ細胞へのターゲッティングベクターの導入
以下の実施例で記載する細胞の培養は、全て37℃の5 ％ CO2インキュベーター中で行った。１５％ＦＢＳおよび103 units/mlのＬＩＦ(ESGRO社製）を添加したＤＭＥＭ培地（以下、ＥＳ用培地と略す）で維持しているＥＳ細胞Ｒ１に対して、エレクトロポレーション（electroporation）法によりターゲッティングベクターの導入を行った。エレクトロポレーションを実施する前日に新鮮なＥＳ用培地と交換したＲ１細胞を集め、エレクトロポレーション用溶液（20 mM HEPES, pH 7.05, 137 mM NaCl, 5 mM KCl, 0.7 mM Na2HPO4, 6mM dextrose) で洗浄した。107 個のＲ１細胞を、 Not I で線状化した25μg のターゲッティングベクター pＯＳ−２neoloxP と0.8 mlのエレクトロポレーション用溶液を用い、エレクトロポレーション用キュベット中で混合した。１〜２分後、Bio-Rad GenePulser （バイオラッド社製）を使用してパルスを与えた（パルス条件： 240V, 500μ F）。遠心分離によりＥＳ細胞を回収し、30 ml のＥＳ用培地に懸濁した。予め 8 ml のＥＳ用培地中にフィーダー細胞を播いてある 10 mlディシュ１枚当たりこのＥＳ細胞懸濁液 2 ml を加え、１２〜１８時間後に力価 150μg/mlのＧ４１８を添加して、１週間培養した。なお、フィーダー細胞としては、本発明者がHS１ノックアウトマウス（I. Taniuchi 等；EMBO J. 14巻、3664頁、1995年）の雄と野性型のICR 系統の雌を交配し、１２〜１３日胚から分離して樹立した線維芽細胞を使用した。
【００７３】
例８：相同組換えを起こしたＥＳ細胞の取得
例７において、G418の添加後１週間培養して生じてきたＥＳ細胞のコロニーを採取した。各コロニーを二分し、一つは培養を継続した。もう一つは相同組換えを起こしているクローンを選択するためＰＢＳで洗浄し、Proteinase K処理を行った後、染色体ＤＮＡ を回収してＰＣＲ によりクローンを選択した。 ＰＣＲにおいて用いた合成プライマーの塩基配列は次の通りである。
Prsn1-2 ：5'-CCCAACTCTATTTCTACCCTCGTTCATCTG-3'
（構築したターゲッティングベクターの外側に有る塩基配列）
PGK-1 ：5'-TAGTGAGACGTGCTACTTCCATTTGTCACG-3'
（neo 発現ユニット中の塩基配列）
ＰＣＲ の実験条件は、93℃で30秒、60℃で１分、68℃で３分を１サイクルとして３５サイクル行い、ＰＣＲ 産物の１％アガロースゲル電気泳動を行い、予想される位置にバンドを生じたクローンを陽性と判断した。ここで陽性と判断されたクローンはオリゴデオキシヌクレオチドPRL-101 およびPRL-102 を用いた ＰＣＲを行い、ＰＣＲ 産物をSau3AIで切断した後、2%アガロースゲル電気泳動を行い、バンドが二分されていることから変異が導入されていることを確認して正しく相同組換えを起こしたＥＳ細胞を選択した。
PRL-101 およびPRL-102 の塩基配列は次の通りである。
PRL-101 ：5'-TGCTGGAGGAAAATGTGTTATTTAAGAGCA-3'
PRL-102 ：5'-TACTGAAATCACAGCCAAGATGAGCCATGC-3'
【００７４】
例９：ノックインマウスの取得：
相同組換えを起こしていることが確認されたＥＳ細胞の培養を４日間継続した後、細胞をトリプシン処理によりバラバラに分散した。マウスBDF1系統の雄を掛け合わせた同系統の雌より８細胞期胚を取り出し、透明帯を外した後、バラバラにした上記ＥＳ細胞を接着させた（２０ＥＳ細胞／８細胞期胚１個 )。これを偽妊娠処理した雌マウスの子宮に移し、胎児の発生を継続させることによりキメラマウスを得た。このキメラマウスの雄をC57BL/6 の雌と交配し、生まれた仔のうちアグチ色のものを選び、その尾の一部を切断した試料から染色体ＤＮＡを抽出した。PRL-101 およびPRL-102 を用いて ＰＣＲを行った後、Sau3AIでＰＣＲ 産物を切断し、2%アガロ−スゲル電気泳動を行い、切断されたバンドの存在を調べることによりＯＳ−２型変異を持っていることを確認した。確認されたマウスのうち雄を一匹選び＃２とした。
【００７５】
例１０
例９で得られたノックインマウス＃２はターゲッティングベクター由来のloxPで挟まれたneo 発現ユニットをヘテロの状態で有している。このマウス＃２（雄性、約４ケ月齢）をCAG-cre#13 (K. Sakai 等；Biochem. Biophys. Res. Commun. 217:318, 1997) トランスジェニックマウスのＦ４の雌（２ケ月齢：導入したcre 遺伝子はヘテロの状態となっている。）と交配し、例８で述べた条件でオリゴデオキシヌクロチドPRL-100, PRL-102 及びPGK-1 を用いてＰＣＲ を行い、neo 発現ユニットが除かれたマウスを選択することにより、neo 発現ユニットを持たないＯＳ−２型変異のノックインマウスを取得した（図８）。本マウスはＯＳ−２型変異に関してヘテロであり、また、一つのloxPを保持している。なお、ＰＣＲ に使用したPRL-100 、PRL-102 及びPGK-1 の塩基配列は以下のとおりである。
PRL-100: 5'-GGT CCA TCC CAG CTT CAC ACA GAC AAG TCT-3'
PRL-102: 5'-TAC TGA AAT CAC AGC CAA GAT GAG CCA TGC-3'
PGK-1: 5'-TAG TGA GAC GTG CTA CTT CCA TTT GTC ACG-3'
【産業上の利用可能性】
【００７６】
本発明の遺伝子変異動物は、変異プレセニリン−１遺伝子を有するために、正常動物（その変異を持たない動物）に比較してアミロイドβの生産量が多く、大脳海馬神経細胞死や脱落が早期に起こりアルツハイマー症状を呈する。従って、本発明の遺伝子変異動物を用いて、アルツハイマー病の予防及び／又は治療に有用な物質のスクリーニングなどを行うことができ、有用性の評価を行うことができる。
【配列表】
<110> Daiichi Pharmaceutical Co., Ltd.
<120> Mutant animals
<130> A01307M
<150> JP P1998-002191
<151> 1998-01-08
<160> 17
<210> 1
<211> 467
<212> PRT
<213> Human
<400> 1
Met Thr Glu Leu Pro Ala Pro Leu Ser Tyr Phe Gln Asn Ala Gln 15
Met Ser Glu Asp Asn His Leu Ser Asn Thr Val Arg Ser Gln Asn 30
Asp Asn Arg Glu Arg Gln Glu His Asn Asp Arg Arg Ser Leu Gly 45
His Pro Glu Pro Leu Ser Asn Gly Arg Pro Gln Gly Asn Ser Arg 60
Gln Val Val Glu Gln Asp Glu Glu Glu Asp Glu Glu Leu Thr Leu 75
Lys Tyr Gly Ala Lys His Val Ile Met Leu Phe Val Pro Val Thr 90
Leu Cys Met Val Val Val Val Ala Thr Ile Lys Ser Val Ser Phe 105
Tyr Thr Arg Lys Asp Gly Gln Leu Ile Tyr Thr Pro Phe Thr Glu 120
Asp Thr Glu Thr Val Gly Gln Arg Ala Leu His Ser Ile Leu Asn 135
Ala Ala Ile Met Ile Ser Val Ile Val Val Met Thr Ile Leu Leu 150
Val Val Leu Tyr Lys Tyr Arg Cys Tyr Lys Val Ile His Ala Trp 165
Leu Ile Ile Ser Ser Leu Leu Leu Leu Phe Phe Phe Ser Phe Ile 180
Tyr Leu Gly Glu Val Phe Lys Thr Tyr Asn Val Ala Val Asp Tyr 195
Ile Thr Val Ala Leu Leu Ile Trp Asn Phe Gly Val Val Gly Met 210
Ile Ser Ile His Trp Lys Gly Pro Leu Arg Leu Gln Gln Ala Tyr 225
Leu Ile Met Ile Ser Ala Leu Met Ala Leu Val Phe Ile Lys Tyr 240
Leu Pro Glu Trp Thr Ala Trp Leu Ile Leu Ala Val Ile Ser Val 255
Tyr Asp Leu Val Ala Val Leu Cys Pro Lys Gly Pro Leu Arg Met 270
Leu Val Glu Thr Ala Gln Glu Arg Asn Glu Thr Leu Phe Pro Ala 285
Leu Ile Tyr Ser Ser Thr Met Val Trp Leu Val Asn Met Ala Glu 300
Gly Asp Pro Glu Ala Gln Arg Arg Val Ser Lys Asn Ser Lys Tyr 315
Asn Ala Glu Ser Thr Glu Arg Glu Ser Gln Asp Thr Val Ala Glu 330
Asn Asp Asp Gly Gly Phe Ser Glu Glu Trp Glu Ala Gln Arg Asp 345
Ser His Leu Gly Pro His Arg Ser Thr Pro Glu Ser Arg Ala Ala 360
Val Gln Glu Leu Ser Ser Ser Ile Leu Ala Gly Glu Asp Pro Glu 375
Glu Arg Gly Val Lys Leu Gly Leu Gly Asp Phe Ile Phe Tyr Ser 390
Val Leu Val Gly Lys Ala Ser Ala Thr Ala Ser Gly Asp Trp Asn 405
Thr Thr Ile Ala Cys Phe Val Ala Ile Leu Ile Gly Leu Cys Leu 420
Thr Leu Leu Leu Leu Ala Ile Phe Lys Lys Ala Leu Pro Ala Leu 435
Pro Ile Ser Ile Thr Phe Gly Leu Val Phe Tyr Phe Ala Thr Asp 450
Tyr Leu Val Gln Pro Phe Met Asp Gln Leu Ala Phe His Gln Phe 465
Tyr Ile 467
<210> 2
<211> 1404
<212> DNA
<213> Human
<400> 2
atg aca gag tta cct gca ccg ttg tcc tac ttc cag aat gca cag   45
atg tct gag gac aac cac ctg agc aat act gta cgt agc cag aat   90
gac aat aga gaa cgg cag gag cac aac gac aga cgg agc ctt ggc  135
cac cct gag cca tta tct aat gga cga ccc cag ggt aac tcc cgg  180
cag gtg gtg gag caa gat gag gaa gaa gat gag gag ctg aca ttg  225
aaa tat ggc gcc aag cat gtg atc atg ctc ttt gtc cct gtg act  270
ctc tgc atg gtg gtg gtc gtg gct acc att aag tca gtc agc ttt  315
tat acc cgg aag gat ggg cag cta atc tat acc cca ttc aca gaa  360
gat acc gag act gtg ggc cag aga gcc ctg cac tca att ctg aat  405
gct gcc atc atg atc agt gtc att gtt gtc atg act atc ctc ctg  450
gtg gtt ctg tat aaa tac agg tgc tat aag gtc atc cat gcc tgg  495
ctt att ata tca tct cta ttg ttg ctg ttc ttt ttt tca ttc att  540
tac ttg ggg gaa gtg ttt aaa acc tat aac gtt gct gtg gac tac  585
att act gtt gca ctc ctg atc tgg aat ttt ggt gtg gtg gga atg  630
att tcc att cac tgg aaa ggt cca ctt cga ctc cag cag gca tat  675
ctc att atg att agt gcc ctc atg gcc ctg gtg ttt atc aag tac  720
ctc cct gaa tgg act gcg tgg ctc atc ttg gct gtg att tca gta  765
tat gat tta gtg gct gtt ttg tgt ccg aaa ggt cca ctt cgt atg  810
ctg gtt gaa aca gct cag gag aga aat gaa acg ctt ttt cca gct  855
ctc att tac tcc tca aca atg gtg tgg ttg gtg aat atg gca gaa  900
gga gac ccg gaa gct caa agg aga gta tcc aaa aat tcc aag tat  945
aat gca gaa agc aca gaa agg gag tca caa gac act gtt gca gag  990
aat gat gat ggc ggg ttc agt gag gaa tgg gaa gcc cag agg gac 1035
agt cat cta ggg cct cat cgc tct aca cct gag tca cga gct gct 1080
gtc cag gaa ctt tcc agc agt atc ctc gct ggt gaa gac cca gag 1125
gaa agg gga gta aaa ctt gga ttg gga gat ttc att ttc tac agt 1170
gtt ctg gtt ggt aaa gcc tca gca aca gcc agt gga gac tgg aac 1215
aca acc ata gcc tgt ttc gta gcc ata tta att ggt ttg tgc ctt 1260
aca tta tta ctc ctt gcc att ttc aag aaa gca ttg cca gct ctt 1305
cca atc tcc atc acc ttt ggg ctt gtt ttc tac ttt gcc aca gat 1350
tat ctt gta cag cct ttt atg gac caa tta gca ttc cat caa ttt 1395
tat atc tag   1404
<210> 3
<211> 467
<212> PRT
<213> Mouse
<400> 3
Met Thr Glu Ile Pro Ala Pro Leu Ser Tyr Phe Gln Asn Ala Gln 15
Met Ser Glu Asp Ser His Ser Ser Ser Ala Ile Arg Ser Gln Asn 30
Asp Ser Gln Glu Arg Gln Gln Gln His Asp Arg Gln Arg Leu Asp 45
Asn Pro Glu Pro Ile Ser Asn Gly Arg Pro Gln Ser Asn Ser Arg 60
Gln Val Val Glu Gln Asp Glu Glu Glu Asp Glu Glu Leu Thr Leu 75
Lys Tyr Gly Ala Lys His Val Ile Met Leu Phe Val Pro Val Thr 90
Leu Cys Met Val Val Val Val Ala Thr Ile Lys Ser Val Ser Phe 105
Tyr Thr Arg Lys Asp Gly Gln Leu Ile Tyr Thr Pro Phe Thr Glu 120
Asp Thr Glu Thr Val Gly Gln Arg Ala Leu His Ser Ile Leu Asn 135
Ala Ala Ile Met Ile Ser Val Ile Val Ile Met Thr Ile Leu Leu 150
Val Val Leu Tyr Lys Tyr Arg Cys Tyr Lys Val Ile His Ala Trp 165
Leu Ile Ile Ser Ser Leu Leu Leu Leu Phe Phe Phe Ser Phe Ile 180
Tyr Leu Gly Glu Val Phe Lys Thr Tyr Asn Val Ala Val Asp Tyr 195
Val Thr Val Ala Leu Leu Ile Trp Asn Phe Gly Val Val Gly Met 210
Ile Ala Ile His Trp Lys Gly Pro Leu Arg Leu Gln Gln Ala Tyr 225
Leu Ile Met Ile Ser Ala Leu Met Ala Leu Val Phe Ile Lys Tyr 240
Leu Pro Glu Trp Thr Ala Trp Leu Ile Leu Ala Val Ile Ser Val 255
Tyr Asp Leu Val Ala Val Leu Cys Pro Lys Gly Pro Leu Arg Met 270
Leu Val Glu Thr Ala Gln Glu Arg Asn Glu Thr Leu Phe Pro Ala 285
Leu Ile Tyr Ser Ser Thr Met Val Trp Leu Val Asn Met Ala Glu 300
Gly Asp Pro Glu Ala Gln Arg Arg Val Pro Lys Asn Pro Lys Tyr 315
Asn Thr Gln Arg Ala Glu Arg Glu Thr Gln Asp Ser Gly Ser Gly 330
Asn Asp Asp Gly Gly Phe Ser Glu Glu Trp Glu Ala Gln Arg Asp 345
Ser His Leu Gly Pro His Arg Ser Thr Pro Glu Ser Arg Ala Ala 360
Val Gln Glu Leu Ser Gly Ser Ile Leu Thr Ser Glu Asp Pro Glu 375
Glu Arg Gly Val Lys Leu Gly Leu Gly Asp Phe Ile Phe Tyr Ser 390
Val Leu Val Gly Lys Ala Ser Ala Thr Ala Ser Gly Asp Trp Asn 405
Thr Thr Ile Ala Cys Phe Val Ala Ile Leu Ile Gly Leu Cys Leu 420
Thr Leu Leu Leu Leu Ala Ile Phe Lys Lys Ala Leu Pro Ala Leu 435
Pro Ile Ser Ile Thr Phe Gly Leu Val Phe Tyr Phe Ala Thr Asp 450
Tyr Leu Val Gln Pro Phe Met Asp Gln Leu Ala Phe His Gln Phe 465
Tyr Ile   467
<210> 4
<211> 1404
<212> DNA
<213> Mouse
<400> 4
atg aca gag ata cct gca cct ttg tcc tac ttc cag aat gcc cag   45
atg tct gag gac agc cac tcc agc agc gcc atc cgg agc cag aat   90
gac agc caa gaa cgg cag cag cag cat gac agg cag aga ctt gac  135
aac cct gag cca ata tct aat ggg cgg ccc cag agt aac tca aga  180
cag gtg gtg gaa caa gat gag gag gaa gac gaa gag ctg aca ttg  225
aaa tat gga gcc aag cat gtc atc atg ctc ttt gtc ccc gtg acc  270
ctc tgc atg gtc gtc gtc gtg gcc acc atc aaa tca gtc agc ttc  315
tat acc cgg aag gac ggt cag cta atc tac acc cca ttc aca gaa  360
gac act gag act gta ggc caa aga gcc ctg cac tcg atc ctg aat  405
gcg gcc atc atg atc agt gtc att gtc att atg acc atc ctc ctg  450
gtg gtc ctg tat aaa tac agg tgc tac aag gtc atc cac gcc tgg  495
ctt att att tca tct ctg ttg ttg ctg ttc ttt ttt tcg ttc att  540
tac tta ggg gaa gta ttt aag acc tac aat gtc gcc gtg gac tac  585
gtt aca gta gca ctc cta atc tgg aat ttt ggt gtg gtc ggg atg  630
att gcc atc cac tgg aaa ggc ccc ctt cga ctg cag cag gcg tat  675
ctc att atg atc agt gcc ctc atg gcc ctg gta ttt atc aag tac  720
ctc ccc gaa tgg acc gca tgg ctc atc ttg gct gtg att tca gta  765
tat gat ttg gtg gct gtt tta tgt ccc aaa ggc cca ctt cgt atg  810
ctg gtt gaa aca gct cag gaa aga aat gag act ctc ttt cca gct  855
ctt atc tat tcc tca aca atg gtg tgg ttg gtg aat atg gct gaa  900
gga gac cca gaa gcc caa agg agg gta ccc aag aac ccc aag tat  945
aac aca caa aga gcg gag aga gag aca cag gac agt ggt tct ggg  990
aac gat gat ggt ggc ttc agt gag gag tgg gag gcc caa aga gac 1035
agt cac ctg ggg cct cat cgc tcc act ccc gag tca aga gct gct 1080
gtc cag gaa ctt tct ggg agc att cta acg agt gaa gac ccg gag 1125
gaa aga gga gta aaa ctt gga ctg gga gat ttc att ttc tac agt 1170
gtt ctg gtt ggt aag gcc tca gca acc gcc agt gga gac tgg aac 1215
aca acc ata gcc tgc ttt gta gcc ata ctg atc ggc ctg tgc ctt 1260
aca tta ctc ctg ctc gcc att ttc aag aaa gcg ttg cca gcc ctc 1305
ccc atc tcc atc acc ttc ggg ctc gtg ttc tac ttc gcc acg gat 1350
tac ctt gtg cag ccc ttc atg gac caa ctt gca ttc cat cag ttt 1395
tat atc tag 1404
<210> 5
<211> 25
<212> DNA
<213> Artificial Sequence
<400> 5
ggaattttgg tgtggtcggg atgat
<210> 6
<211> 23
<212> DNA
<213> Artificial Sequence
<400> 6
ggtccattcg gggaggtact tga
<210> 7
<211> 36
<212> DNA
<213> Artificial Sequence
<400> 7
tgtggtcggg atgatcgcca cccactggaa aggccc
<210> 8
<211> 36
<212> DNA
<213> Artificial Sequence
<400> 8
gggcctttcc agtgggtggc gatcatcccg accaca
<210> 9
<211> 18
<212> DNA
<213> Artificial Sequence
<400> 9
tctagacggc cgtctaga
<210> 10
<211> 18
<212> DNA
<213> Artificial Sequence
<400> 10
agatctgccg gcagatct
<210> 11
<211> 30
<212> DNA
<213> Artificial Sequence
<400> 11
cccaactcta tttctaccct cgttcatctg
<210> 12
<211> 30
<212> DNA
<213> Artificial Sequence
<400> 12
tagtgagacg tgctacttcc atttgtcacg
<210> 13
<211> 30
<212> DNA
<213> Artificial Sequence
<400> 13
tgctggagga aaatgtgtta tttaagagca
<210> 14
<211> 30
<212> DNA
<213> Artificial Sequence
<400> 14
tactgaaatc acagccaaga tgagccatgc
<210> 15
<211> 30
<212> DNA
<213> Artificial Sequence
<400> 15
ggtccatccc agcttcacac agacaagtct
<210> 16
<211> 30
<212> DNA
<213> Artificial Sequence
<400> 16
tactgaaatc acagccaaga tgagccatgc
<210> 17
<211> 30
<212> DNA
<213> Artificial Sequence
<400> 17
tagtgagacg tgctacttcc atttgtcacg
【図面の簡単な説明】
【図１】  図１は、マウス・ジェノミックＤＮＡライブラリーよりクローニングして得たマウスプレセニリン−１のエキソン８を含む染色体ＤＮＡ断片Ｐαの制限酵素地図である。
【図２】  図２は、部位特異的変異導入法によりＯＳ−２型変異が導入された部位を含むマウスプレセニリン−１遺伝子のエキソン８の一部を持つプラスミドpmX-1 の作製方法の工程を示した図である。
【図３】  図３は、ターゲッティングベクターの作製の工程を示した図である。
【図４】  図４は、ターゲッティングベクターの作製の工程を示した図である。
【図５】  図５は、ターゲッティングベクターの作製の工程を示した図である。
【図６】  図６は、ターゲッティングベクターの作製の工程を示した図である。
【図７】  図７は、ターゲッティングベクターの作製の工程と、ターゲティングベクターpＯＳ−２neoloxPの構造を示した図である。
【図８】  図８は、ＯＳ−２型変異プレセニリン−１遺伝子をもつ＃２マウス（雄）とCAG-cre ＃13マウスのＦ４（雌）を交配して得られた仔の尾の一部を切断した試料から得られた染色体ＤＮＡを、例１０に記載した方法でＰＣＲを行った産物の１％アガロ−スゲル電気泳動の結果を示した図である。右側から２番目と４番目のマウスは染色体ＤＮＡ上にneo 発現ユニットをもっていないことが示されている。図中、最左端のレ−ンは分子量マーカーである。［Ａ］は、染色体ＤＮＡ上のneo を欠損していることをバンドであり、［Ｂ］は染色体ＤＮＡが野生型であることを示すバンドであり、［Ｃ］は染色体ＤＮＡ上のneo 存在していることを示すバンドである。
【図１】
0004290329.tif 000003
【図２】
0004290329.tif 000004
【図３】
0004290329.tif 000005
【図４】
0004290329.tif 000006
【図５】
0004290329.tif 000007
【図６】
0004290329.tif 000008
【図７】
0004290329.tif 000009
【図８】
0004290329.tif 000010